(57)【要約】【課題】  本発明は、１剤で起泡と増粘の効果を持つ気泡シールド工法用起泡材及びそれを用いた気泡シールド工法を提供することを目的とする。【解決手段】（Ａ）カチオン性界面活性剤と、（Ｂ）アニオン性芳香族化合物と、（Ｃ）所定の化合物を含む起泡材は、１剤で起泡と増粘の効果を持ち、気泡シールド工法に適している。【選択図】図３Ｂ
2020132672.tif 000002
【特許請求の範囲】
【請求項１】
（Ａ）カチオン性界面活性剤、
（Ｂ）アニオン性芳香族化合物、そして
（Ｃ）下記の一般式（１）〜（３）で表される化合物の群から選択される、少なくともひとつの化合物：
【化１】
2020132672.tif 000006
（式中、Ｒ１は炭素数１〜２０の直鎖もしくは分岐鎖のアルキル基、または炭素数１〜２０の直鎖もしくは分岐鎖のアルケニル基を表し、Ｒ２Ｏ、Ｒ３Ｏは炭素数２〜５のオキシアルキレン基を表し、ｍとｎはそれぞれＲ２Ｏ、Ｒ３Ｏの平均繰り返し数を表す０〜２０の数であり、ｍ＋ｎ＝１〜２０である。）；
【化２】
2020132672.tif 000007
（式中、Ｒ４は炭素数１〜２０の直鎖または分岐鎖のアルキル基もしくは水素、Ｒ５は炭素数１〜２０の直鎖または分岐鎖のアルキル基を表し、ｌは０または１であり、Ｒ４Ｒ５ＣＨ（ＣＨ２）ｌの炭素数の合計は３〜２２であり、Ｒ６Ｏは炭素数２〜５のオキシアルキレン基を表し、ｋはＲ６Ｏの平均繰り返し数を表す１〜２０の数である。Ｘは水素またはアニオン性基である。）；
【化３】
2020132672.tif 000008
（式中、Ｒ７Ｏ、Ｒ８Ｏ、Ｒ９Ｏは炭素数２〜５のオキシアルキレン基を表し、ｐ、ｑ、ｒはＲ７Ｏと  Ｒ８ＯとＲ９Ｏの平均繰り返し数を表す１〜２０の数である。但し、Ｒ７、Ｒ８、Ｒ９は全部が同じになることはない。）、
を含有する、気泡シールド工法用起泡材。    
【請求項２】
請求項１に記載の気泡シールド工法用起泡材を発泡させて気泡を生成し、前記気泡を切羽或いはチャンバー内、またはその両方に注入しながら掘進することを特徴とする気泡シールド工法。
【発明の詳細な説明】
【技術分野】
【０００１】
本発明は、気泡シールド工法用起泡材及びそれを用いた気泡シールド工法に関する。
【背景技術】
【０００２】
シールド工法は、切羽およびチャンバー内に加泥材を注入することで掘削土砂（混合土）が塑性流動性を有し、この混合土がチャンバー内を充填することで、土圧と水圧に対し平衡を維持しつつ、マシン外へスムーズに土砂を排出する工法である。この工法のうち、加泥材として気泡を注入するものが、気泡シールド工法と呼ばれる。
【０００３】
注入する気泡は、対象土の粒度によって使用する剤を使い分けている（特許文献１）。一般的に細粒分が一定量ある場合は、陰イオン界面活性剤を主成分とするＡタイプ気泡、細粒分が少ない、砂質〜砂礫質土については、カルボキシメチルセルロース（ＣＭＣ）に代表される粉体の増粘剤を溶解させた液に、Ａタイプで使用される起泡材原液を混合し、発泡させることで粘性の高い気泡を生成し、粘性により細粒分不足を補うＢタイプ気泡、粗粒な礫質土に対しては、増粘剤に対して、ゲル化作用のある薬剤を発泡時に散布することで、固く非常に強い気泡を作成し、礫を強固にまとめることができるＣタイプ気泡の大きく３種類に分類される。なお、Ｂタイプ及びＣタイプ気泡については、起泡材溶液を調製する際、Ａタイプで必要となる設備に加え、粉体を溶解する設備が別途必要となる。なお、Ａタイプ気泡では任意に発泡倍率を変えることができるのに対し、増粘剤を含むＢタイプ気泡（Ｃタイプ気泡も同様）では起泡材溶液の粘性が高いため、発泡しづらく概ね６倍発泡が限度であり、Ａタイプ気泡に比べて、多量の起泡材溶液を使用する。また発泡性を確保するため、別途添加材を必要とする場合がある（特許文献２）。
【先行技術文献】
【特許文献】
【０００４】
【特許文献１】特開２０１４−０９２０１８号公報
【特許文献２】特開２０１４−２３４４８４号公報
【非特許文献】
【０００５】
【非特許文献１】気泡シールド工法  技術資料  シールド工法技術協会  （http://shield-method.gr.jp/wp/wp-content/uploads/doc_tec_rf.pdf）
【発明の概要】
【発明が解決しようとする課題】
【０００６】
シールド掘進時に、当初の地質調査によって想定していなかった砂礫互層により、地山中の細粒分が急激に減少した場合や、礫分が多い場合、Ａタイプ気泡からＢタイプ気泡への変更が必要となる場合がある。かかる場合、２剤での調製が必要なため、新たにＢタイプ気泡の設備（希釈水タンク、溶解槽等の混合希釈設備、増粘剤貯蔵タンク並びに供給設備など）が必要になる。しかしながら、シールド工法の多くが、都市部の狭隘な場所で施工することが多いことから、設備のためのスペース確保が難しい。また設備を導入できる場合においても、設備の確保、設置等に大幅な時間が必要となり、その間施工は停止する必要がある。そこで、新たな設備を必要としない、１剤で起泡と増粘の効果を持つ剤が求められていた。
【課題を解決するための手段】
【０００７】
本願発明者らは鋭意研究の結果、カチオン性界面活性剤と、アニオン性芳香族化合物と、所定の化合物を含む起泡材は、１剤で起泡と増粘の効果を持つことを新たに見出した。
【０００８】
従って、本願発明は以下の［１］〜［２］である。
［１］（Ａ）カチオン性界面活性剤と、
（Ｂ）アニオン性芳香族化合物と、
（Ｃ）下記の一般式（１）〜（３）で表される化合物の群から選択される、少なくともひとつの化合物：
【化１】
2020132672.tif 000003
（式中、Ｒ１は炭素数１〜２０の直鎖もしくは分岐鎖のアルキル基、または炭素数１〜２０の直鎖もしくは分岐鎖のアルケニル基を表し、Ｒ２Ｏ、Ｒ３Ｏは炭素数２〜５のオキシアルキレン基を表し、ｍとｎはそれぞれＲ２Ｏ、Ｒ３Ｏの平均繰り返し数を表す０〜２０の数であり、ｍ＋ｎ＝１〜２０である。）；
【化２】
2020132672.tif 000004
（式中、Ｒ４は炭素数１〜２０の直鎖または分岐鎖のアルキル基もしくは水素、Ｒ５は炭素数１〜２０の直鎖または分岐鎖のアルキル基を表し、ｌは０または１であり、Ｒ４Ｒ５ＣＨ（ＣＨ２）ｌの炭素数の合計は３〜２２であり、Ｒ６Ｏは炭素数２〜５のオキシアルキレン基を表し、ｋはＲ６Ｏの平均繰り返し数を表す１〜２０の数である。Ｘは水素またはアニオン性基である。）；
【化３】
2020132672.tif 000005
（式中、Ｒ７Ｏ、Ｒ８Ｏ、Ｒ９Ｏは炭素数２〜５のオキシアルキレン基を表し、ｐ、ｑ、ｒはＲ７Ｏと  Ｒ８ＯとＲ９Ｏの平均繰り返し数を表す１〜２０の数である。但し、Ｒ７、Ｒ８、Ｒ９は全部が同じになることはない。）；
を含有する、気泡シールド工法用起泡材。
【０００９】
［２］［１］に記載の気泡シールド工法用起泡材を発泡させて気泡を生成し、前記気泡を切羽或いはチャンバー内、またはその両方に注入しながら掘進することを特徴とする気泡シールド工法。
【発明の効果】
【００１０】
本発明により、１剤で増粘作用の付与が可能な気泡シールド工法用起泡材が得られた。
【図面の簡単な説明】
【００１１】
【図１】シールドマシンの概略図
【図２Ａ】起泡材の評価（比較例１〜７）
【図２Ｂ】起泡材の評価（実施例例１〜１０）
【図２Ｃ】起泡材の評価（実施例例１１〜２０）
【図３Ａ】試料土の評価
【図３Ｂ】気泡混合土の評価
【発明を実施するための形態】
【００１２】
以下、本発明の好ましい実施の形態につき、添付図面を用いて詳細に説明するが、必ずしもこれに限定するわけではない。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的な実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１３】
まず、気泡シールド工法に用いられるシールドマシンの概略について説明する。
図１に示すように、本工法に用いられるシールドマシン１は、スキンプレート２と、隔壁３と、カッター４と、カッターモーター５と、気泡注入管６と、スクリューコンベア７と、土圧センサ８を備えている。
【００１４】
スキンプレート２は、シールドマシン１の外殻部となる鋼製の筒状部材である。隔壁３は、スキンプレート２に設けられており、スキンプレート２の前側部分にチャンバー９を区画する。カッター４は、回転によって地中を掘削する部分であり、スキンプレート２よりも前方に配設されている。カッターモーター５は、カッター４を回転させるための駆動源であり、隔壁３の後側に設けられている。カッターモーター５の駆動力は支持アーム１０を介してカッター４に伝達される。
【００１５】
気泡注入管６は、起泡材溶液が発泡装置（図示せず）で発泡されることで得られたシェービングクリーム状の微細気泡を案内する部材である。気泡注入管６の先端はカッター４の前方に位置しているため、案内された微細気泡はカッター４に向けて注入される。カッター４で掘削された掘削土は、このカッター４の回転によって気泡と混合されることで流動性が高められ、チャンバー９に流入する。そして、チャンバー９では、気泡の存在によって壁面への掘削土の付着が抑制される。また、土粒子同士の間に気泡が入り込むので、止水性も高められる。
なお、前記微細気泡は、チャンバー９内に直接注入されてもよく、又はカッター４及びチャンバー９の両方に注入されてもよい。
【００１６】
次に本願発明に係る（Ａ）カチオン性界面活性剤と；（Ｂ）アニオン性芳香族化合物と；（Ｃ）一般式（１）〜（３）で表される化合物で表される化合物の群から選択される、少なくともひとつの化合物を含む気泡シールド用起泡材について説明する。
【００１７】
（Ａ）成分の「カチオン性界面活性剤」は、４級塩型カチオン性化合物であることが好ましく、４級塩型のカチオン性界面活性剤としては、構造中に、１０から２６個の炭素原子を含む飽和又は不飽和の直鎖又は分岐鎖アルキル基（以下、「アルキル（炭素数１０〜２６）」と記載する場合がある）を、少なくとも１つ有しているものが好ましい。例えば、アルキル（炭素数１０〜２６）トリメチルアンモニウム塩、アルキル（炭素数１０〜２６）ピリジニウム塩、アルキル（炭素数１０〜２６）イミダゾリニウム塩、アルキル（炭素数１０〜２６）ジメチルベンジルアンモニウム塩等が挙げられ、具体的には、テトラデシルトリメチルアンモニウムクロライド、テトラデシルトリメチルアンモニウムブロマイド、ヘキサデシルトリメチルアンモニウムクロライド、ヘキサデシルトリメチルアンモニウムブロマイド、オクタデシルトリメチルアンモニウムクロライド、オクタデシルトリメチルアンモニウムブロマイド、タロートリメチルアンモニウムクロライド、タロートリメチルアンモニウムブロマイド、水素化タロートリメチルアンモニウムクロライド、水素化タロートリメチルアンモニウムブロマイド、ヘキサデシルエチルジメチルアンモニウムクロライド、オクタデシルエチルジメチルアンモニウムクロライド、ヘキサデシルプロピルジメチルアンモニウムクロライド、ヘキサデシルピリジニウムクロライド、１，１−ジメチル−２−ヘキサデシルイミダゾリニウムクロライド、ヘキサデシルジメチルベンジルアンモニウムクロライド等が挙げられ、これらを２種以上併用してもよい。水溶性と増粘効果の観点から、具体的には、テトラデシルトリメチルアンモニウムクロライド、ヘキサデシルトリメチルアンモニウムクロライド、オクタデシルトリメチルアンモニウムクロライド、ヘキサデシルピリジニウムクロライド等が好ましい。また、増粘効果の温度安定性の観点および希釈液の均一性の観点から、（Ａ）成分として、上記のアルキル基の炭素数の異なる「カチオン性界面活性剤」を２種類以上併用することが好ましい。
（Ａ）成分は、気泡シールド工法用起泡材中に１〜３０質量％であることが好ましく、１５〜２５重量％がより好ましい。（Ａ）成分は、起泡材希釈液中に０．０１〜２重量％であることが好ましく、０．１〜１．５重量％がより好ましい。
【００１８】
（Ｂ）成分の「アニオン性芳香族化合物」は、芳香環を有するカルボン酸及びその塩、芳香環を有するホスホン酸及びその塩、芳香環を有するスルホン酸及びその塩が挙げられ、具体的には、サリチル酸、ｐ−トルエンスルホン酸、スルホサリチル酸、安息香酸、ｍ−スルホ安息香酸、ｐ−スルホ安息香酸、４−スルホフタル酸、５−スルホイソフタル酸、ｐ−フェノールスルホン酸、ｍ−キシレン−４−スルホン酸、クメンスルホン酸、メチルサリチル酸、スチレンスルホン酸、クロロ安息香酸等であり、これらは塩を形成していていも良く、これらを２種以上併用してもよい。
塩を形成するための対イオンとしては、アルカリ金属イオン、アンモニウム、プロトン化したアミン等が挙げられる。特に、アルカリ金属イオンが好ましい。
前記対イオンとなり得るアルカリ金属としては、ナトリウム、カリウム等が挙げられる。
前記対イオンになり得るアミンとしては、第一級〜第三級アミン（モノメチルアミン、ジメチルアミン、トリメチルアミンなど）、アルカノールアミン（モノエタノールアミン、ジエタノールアミン、トリエタノールアミンなど）が挙げられる。
（Ｂ）成分は、気泡シールド工法用起泡材中に０．５〜６０重量％が好ましく、５〜２０重量％がより好ましい。
（Ｂ）成分は、起泡材希釈液中に０．００５〜４重量％が好ましく、０．１〜２重量％がより好ましい。
【００１９】
（Ｃ）成分の［化１］に示される「一般式（１）で表される化合物」は、Ｒ１は炭素数１〜２０の直鎖もしくは分岐鎖のアルキル基、または炭素数１〜２０の直鎖または分岐鎖のアルケニル基を表しており、特に直鎖のアルキル基が好ましい。Ｒ２Ｏ、Ｒ３Ｏは炭素数２〜５のオキシアルキレン基を表し、ｍとｎはそれぞれＲ２Ｏ、Ｒ３Ｏの平均繰り返し数を表す０〜２０の数であり、ｍ＋ｎ＝１〜２０である。Ｒ２ＯとＲ３Ｏは、オキシエチレン基（以下、ＥＯともいう。）またはオキシプロピレン基（以下、ＰＯともいう。）が好ましい。ｍ、ｎが２以上であるとき、オキシアルキレン鎖は、ＥＯのみからなるＥＯ鎖、またはＥＯとＰＯとからなるブロック鎖もしくはランダム鎖が好ましい。
Ｒ１のアルキル基またはアルケニル基の炭素数としては、８〜２２が好ましく、１２〜２０がより好ましく、１４〜１８が更に好ましい。
【００２０】
（Ｃ）成分の［化２］に示される「一般式（２）で表される化合物」は、Ｒ４は炭素数１〜２０の直鎖または分岐鎖のアルキル基もしくは水素、Ｒ５は炭素数１〜２０の直鎖または分岐鎖のアルキル基を表し、ｌは０または１であり、
Ｒ４Ｒ５ＣＨ（ＣＨ２）ｌの炭素数の合計は３〜２２であり、ｌ＝０の時、Ｒ４Ｒ５ＣＨ（ＣＨ２）ｌの炭素数の合計は、好ましくは３〜１８である。ｌ＝１の時、Ｒ４Ｒ５ＣＨ（ＣＨ２）ｌの炭素数の合計は、好ましくは１０〜１８、より好ましくは１０〜１４である。
Ｒ６Ｏは炭素数２〜５のオキシアルキレン基を表し、ｋはＲ６Ｏの平均繰り返し数を表す１〜２０の数である。Ｒ６Ｏは、オキシエチレン基（以下、ＥＯともいう。）またはオキシプロピレン基（以下、ＰＯともいう。）が好ましい。ｋが２以上であるとき、オキシアルキレン鎖は、ＥＯのみからなるＥＯ鎖、またはＥＯとＰＯとからなるブロック鎖もしくはランダム鎖が好ましい。
ｋは２〜１６が好ましく、３〜１２がより好ましい。
Ｘは水素またはアニオン性基である。
Ｘがアニオン性基である場合、−ＳＯ３Ｍ又は−ＣＯＯＭであることが好ましい。ここで、Ｍは、有機又は無機の陽イオンを示す。Ｍの陽イオンとしては、ナトリウムイオン、カリウムイオン等のアルカリ金属イオン、アンモニウムイオン、炭素数３以上、１５以下、更に炭素数７以上、１５以下のアルキルアンモニウムイオン、モノエタノールアンモニウムイオン、ジエタノールアンモニウムイオン、トリエタノールアンモニウムイオン等が挙げられ、アルカリ金属イオンが好ましい。
Ｒ４が水素である場合は、例えばエチレングリコールエーテル（ｎ−プロピルグリコール、ｎ−ブチルグリコール、イソブチルグリコール、ペンチルグリコール、ヘキシルグリコール）、ジエチレングリコールエーテル（ジエチレングリコールモノプロピルエーテル及びブチルジグリコール等）、オキシエチレン基の平均繰り返し数が３〜１０のポリオキシエチレン低級アルキルモノエーテル（ポリオキシエチレン（３モル）モノプロピルエーテル等）等のグリコールエーテルが挙げられる。
特に気泡シールド工法用起泡材の液安定性の点で、エチレングリコールエーテル、ジエチレングリコールエーテルが好ましく、ヘキシルグリコールやブチルジグリコールがより好ましい。
なお、グリコールエーテルは、グリコールエーテル以外の（Ｃ）成分と併用すると、液安定性の点で好ましい。
【００２１】
（Ｃ）成分の［化３］に示される「一般式（３）で表される化合物」は、Ｒ７Ｏ、Ｒ８Ｏ、Ｒ９Ｏは炭素数２〜５のオキシアルキレン基を表し、ｐ、ｑ、ｒはＲ７ＯとＲ８ＯとＲ９Ｏの平均繰り返し数を表す１〜２０の数である。但し、Ｒ７、Ｒ８、Ｒ９は全部が同じになることはない。Ｒ７ＯとＲ８ＯとＲ９Ｏは、オキシエチレン基（以下、ＥＯともいう。）またはオキシプロピレン基（以下、ＰＯともいう。）が好ましい。ｐ、ｑ、ｒが２以上であるとき、Ｒ７ＯとＲ８ＯとＲ９Ｏのオキシアルキレン鎖の組み合わせは、ＥＯとＰＯとからなるブロック鎖が特に好ましい。
【００２２】
（Ｃ）成分は、気泡シールド工法用起泡材中に０．０１〜１５重量％が好ましく、０．５〜１０重量％がより好ましい。（Ｃ）成分は、起泡材希釈液中に０．０００１〜１％が好ましく、０．０１〜０．５重量％がより好ましい。
また、（Ａ）／（Ｂ）＝０．３〜２．５が好ましく、（Ａ）／（Ｃ）＝１〜３６が好ましい。
【００２３】
本願発明の一態様として、気泡シールド工法用起泡材は、（Ａ）成分として、塩化アルキルトリメチルアンモニウム、とりわけ塩化ヘキサデシルトリメチルアンモニウムを含むことが好ましく、（Ｂ）成分としてｐ−トルエンスルホン酸ナトリウムを含むことが好ましく、（Ｃ）成分としてビス（２−ヒドロキシエチル）アルキルアミンとグリコールエーテルを含むことが好ましい。
【００２４】
＜溶剤(Ｃ成分に該当するものを除く)＞
起泡材は、溶剤を含有してもよい。溶剤は起泡性を阻害しないものであって水に溶解しやすい有機溶剤であれば制限なく使用できる。
例えばエチレングリコールエーテル（フェニルグリコール等）、分子量が５００以下のジオール（エチレングリコール、ジエチレングリコール及びポリエチレングリコール等）等のグリコール系溶剤が挙げられる。
また、溶剤と（Ａ）成分は併用することが好ましい。起泡材または発泡液における溶剤の含有量は、溶剤／（Ａ）の質量比が０〜３．０の範囲が好ましく、１〜２．０がより好ましく、１．２〜１．５がさらに好ましい。
溶剤の含有量が上記範囲の下限値以上であると、起泡材の液安定の向上効果に優れる。上記範囲の上限値以下であるとコスト抑制の点で好ましい。
【実施例】
【００２５】
以下、本発明について実施例を参照して詳細に説明するが、本発明はこれらの実施例により限定されない。なお、図２Ａ〜Ｃ中の配合量の単位は「質量％」であり、いずれの成分も有効成分換算量を示す。
【００２６】
１．起泡材の製造及び評価
１）製造方法
図２Ａ〜Ｃに記載の所定の割合で、水と（Ｃ）成分を混合し（工程１）、（Ｂ）成分を添加混合し（工程２）、そして（Ａ）成分を添加混合すること（工程３）により、作製した。
【００２７】
２）評価方法
２−１）１剤評価
希釈前の原液が１剤であり、２５℃で分離せず安定しているか否かを目視で評価した。１剤であり安定している場合は、○と評価し、１剤でない、あるいは分離している場合は、×と評価した。
【００２８】
２−２）２０倍希釈粘度（６０ｒｐｍ）
起泡材を２０倍希釈して作成した希釈液を回転粘度計（ブルックフィールド）を用いて、回転数６０ｒｐｍ・ローターＮｏ．２で回転させ、１分後の値を測定した。粘度が１００ｍＰａ・ｓ以上ある場合、○と評価し、粘度が１００ｍＰａ・ｓ未満である場合、×と評価した。
【００２９】
２−３）３０倍希釈粘度（６０ｒｐｍ）
起泡材を３０倍希釈して作成した希釈液を回転粘度計（ブルックフィールド）を用いて、回転数６０ｒｐｍ・ローターＮｏ．２で回転させ、１分後の値を測定した。粘度が５０ｍＰａ・ｓ以上ある場合、○と評価し、粘度が５０ｍＰａ・ｓ未満である場合、×と評価した。
【００３０】
２−４）液の均一性
希釈液が均一であるか否か目視で評価した。
希釈液が均一で、ゼリー状の塊が無い場合、○と評価し、希釈液が均一でなく、ゼリー状の塊がある場合、×と評価した。
【００３１】
２−５）発泡性
コンプレッサーにて圧縮した空気と、その空気と同じ圧力の起泡材希釈液を、セラミックボールが充填された筒内で二流体混合することで発泡させ気泡を得る。得られた気泡の重量Ａｇと、体積Ｂｍｌを測定し、（ａ）式で発泡倍率を算出する。
発泡倍率（倍）＝（気泡の体積Ｂｍｌ）／（気泡の重量Ａｇ）・・・（ａ）式
最大発泡倍率が６倍以上である場合、○と評価し、最大発泡倍率が６倍未満である場合、×と評価した。 
【００３２】
３）結果
（Ａ）成分と（Ｂ）成分だけだと、ゲル化して１剤とするのが不可能であるが、（Ｃ）成分を添加すると、１剤とすることが可能であり、評価基準を満たす起泡材を作製することができた（図２Ａ〜Ｃ）。
【００３３】
２．気泡混合土試験
従来用いられているＢタイプ気泡用起泡剤（起泡剤Ａ）と実施例５の起泡剤（起泡剤Ｂ）を比較した。起泡剤Ａは希釈せずそのまま、そして起泡剤Ｂは水で３％（ｖ／ｖ）に希釈し、コンプレッサーにて圧縮した空気と、その空気と同じ圧力の起泡剤希釈液を、セラミックボールが充填された筒内で二流体混合することで発泡させた。
１）試料土の調製
図３Ａに試料土Ａと試料土Ｂの分類を示す。
従来の起泡シールド工法における土質と特殊起泡材の選定基準（非特許文献１）を参照した場合、試料土Ａは砂分が多い礫質砂であり、ＩＩ：Ａタイプ気泡又はＢタイプ気泡を用いることが適しており、試料土Ｂは礫分が多い砂質礫であり、ＩＩＩ：Ｂタイプ気泡又はＩＶ：Ｃタイプ気泡を用いることが適していると判定される土質である。
【００３４】
２）スランプ試験
スランプ試験では、最初に必要量の試料土を電子天秤によって量り取った。そして、量り取った試料土に対し、水を加え、加水後の体積比で２０％分の気泡を添加した。気泡の添加量は、各気泡の発泡倍率に応じて、気泡体積を発泡倍率で除した重さで管理した。
気泡を添加後、ヘラを用いて気泡と試料土を全体が均等になるように混ぜ合わせ、気泡混合土を作製した。JIS A1171に規定されるスランプコーン（上端内径１００±２ｍｍ，下端内径２００±２ｍｍ，高さ３００±２ｍｍ）をスランプ板の上に載置し、作成後１５分間静置した気泡混合土をスランプコーンに投入した。そして、投入した気泡混合土を突き棒で適度に突いた。気泡混合土は３回に分けて投入し、全量を投入した後に開口面の気泡混合土を均した。その後、気泡混合土を詰めたスランプコーンを鉛直上方に引き抜いた。そして、スランプ値を０．１ｃｍ単位で読み取った。
評価基準としては、スランプ値が３．０ｃｍ以上で、混合土のまとまりが良好である場合、評価を○とし、そうでない場合を×とした（図３Ｂ）。
【００３５】
３）結果
従来の起泡剤Ａは礫分が多い試料土Ｂには適用できないのに対して、本願発明に係る起泡剤Ｂは、試料土Ａ及び試料土Ｂともに適用可能である。
【符号の説明】
【００３６】
１…シールドマシン，２…スキンプレート，３…隔壁，４…カッター，５…カッターモーター，６…気泡注入管，７…スクリューコンベア，８…土圧センサ，９…チャンバー，１０…支持アーム
【図１】
2020132672.tif 000009
【図２Ａ】
2020132672.tif 000010
【図２Ｂ】
2020132672.tif 000011
【図２Ｃ】
2020132672.tif 000012
【図３Ａ】
2020132672.tif 000013
【図３Ｂ】
2020132672.tif 000014